(57)【要約】【目的】  スケジュール案件内容及び、スケジュール遂行予定日の確認や検討の作業が効率的に行える機能を有するペーパーを提供する。【構成】  ペーパー１の左側についてはスケジュール欄２の右横に並べて暦日欄３を設け、この配列によりペーパー１の上下に沿って構成し、ペーパー１の右側については暦日欄３の右横に並べてスケジュール欄２を設け、この配列によりペーパー１の上下に沿って構成することで暦日欄３をペーパー１の中央に集約する様にする。【選択図】図１
2007230202.tif 000002
【特許請求の範囲】
【請求項１】
ペーパー（１）の左側についてはスケジュール欄（２）の右横に並べて暦日欄（３）を設け、この配列によりペーパー（１）の上下に沿って構成し、ペーパー（１）の右側については暦日欄（３）の右横に並べてスケジュール欄（２）を設け、この配列によりペーパー（１）の上下に沿って構成することで暦日欄（３）をペーパー（１）の中央に集約する様にしたスケジュール用ペーパー。
【請求項２】
ペーパー（１）の左側についてはスケジュール欄（２）の右横に並べて暦日欄（３）を設け、この配列によりペーパー（１）の上下に沿って構成し、ペーパー（１）の右側については暦日欄（３）の右横に並べてスケジュール欄（２）を設け、この配列によりペーパー（１）の上下に沿って構成することで暦日欄（３）をペーパー（１）の中央に集約する様にしたスケジュール用ペーパーであって、１枚のペーパー（１）に半月の期間を網羅し、ペーパー（１）は標準的な汎用サイズであるＡ列４番の用紙に印刷される様にしたスケジュール用ペーパー。
【請求項３】
ペーパー（１）の左側についてはスケジュール欄（２）の右横に並べて暦日欄（３）を設け、この配列によりペーパー（１）の上下に沿って構成し、ペーパー（１）の右側については暦日欄（３）の右横に並べてスケジュール欄（２）を設け、この配列によりペーパー（１）の上下に沿って構成することで暦日欄（３）をペーパー（１）の中央に集約する様にしたスケジュール用ペーパーであって、時刻を表示する数字（７）を羅列し、羅列した数字（７）の上部に午前表示ライン（８）を設け、羅列した数字（７）の下部に午後表示ライン（９）を設ける時間割構成を備え、スケジュール欄（２）に記入したスケジュール案件に合致する時間帯の午前表示ライン（８）上又は、午後表示ライン（９）上の箇所を太く擦ることで表示する様にしたスケジュール用ペーパー。
【発明の詳細な説明】
【技術分野】
【０００１】  スケジュール欄を設けるスケジュール用ペーパーに関するものである。
【背景技術】
【０００２】  カレンダーの中には暦日欄にスケジュール案件を記入する空白を設けたものがある。又、手帳の中には暦日欄の横に並べてスケジュール欄を設けたものがある。
【発明が解決しようとする課題】
【０００３】  カレンダーの暦日欄にスケジュール案件を記入する空白を設けたものについては暦日欄の各々に対応してスケジュールが書き込まれるため、後々においてスケジュール間の確認や検討の作業を効率的に行うことが難しい。又、手帳の暦日欄の横に並べてスケジュール欄を設けたものはスケジュール欄が上下に沿って整然と構成されるためにスケジュール間の確認や検討の作業を効率的に行うことが可能であり、その観点から前記の様な懸念は無い。但し、単に暦日欄とスケジュール欄との配列関係にあることに過ぎないため、遂行予定日の確認や検討の作業を効率的に行うことが困難である。本発明はスケジュール案件内容及び、遂行予定日の確認や検討の作業が効率的に行える機能を有するペーパーを提供するものである。なお、図面の説明であるが、暦日欄に記された○は七曜表示を意味する代替記号であり、又、明細書で記す某月例として１月のものを掲げたものである。
【課題を解決するための手段】
【０００４】  ペーパー１の左側についてはスケジュール欄２の右横に並べて暦日欄３を設け、この配列によりペーパー１の上下に沿って構成し、ペーパー１の右側については暦日欄３の右横に並べてスケジュール欄２を設け、この配列によりペーパー１の上下に沿って構成することで暦日欄３をペーパー１の中央に集約する様にする。
【発明を実施するための最良の形態】
【０００５】  図１に示す様にペーパー１の左側についてはスケジュール欄２の右横に並べて暦日欄３を設け、この配列によりペーパー１の上下に沿って構成する。つまり、ペーパー１の左側の１行目が某月の１日に該当し、下段に沿って日が改まる様にする。又、ペーパー１の左側については暦日欄３を確認し、その暦日欄３に対応した暦日欄３の左横に並べたスケジュール欄２に内容を記入する。
又、ペーパー１の右側については暦日欄３の右横に並べてスケジュール欄２を設け、この配列によりペーパー１の上下に沿って構成する。つまり、ペーパー１の右側はペーパー１の左側に続くものであり、ペーパー１の右側の１行目がペーパー１の左側の最終段の日の次の日に該当し、下段に沿って日が改まる様にする。又、ペーパー１の右側については暦日欄３を確認し、その暦日欄３に対応した暦日欄３の右横に並べたスケジュール欄２に内容を記入する。
以上の様にペーパー１の左側については暦日欄３はスケジュール欄２の右横に位置し、この配列によりペーパー１の上下に沿って構成し、又、ペーパー１の右側については暦日欄３はスケジュール欄２の左横に位置し、この配列によりペーパー１の上下に沿って構成することで暦日欄３はペーパー１の中央に集約され、この集約された暦日欄３によりカレンダーが構成されることになる。
【実施例】
【０００６】  又、図１に示すものは１枚のペーパー１に月の前半を網羅する様にしたものであり、１例として某月の１日から１５日までを網羅してある。つまり、スケジュールを組む際に、１週間内の遂行を前提とした想定事例が考慮でき、又、１週間内の遂行が困難な場合は次週で行うとした事例も考慮できる。この様に２週間単位のスケジュールは練り易いという特性をもつが、この２週間のスパンはほぼ半月の期間に相当することを勘案して前記の構成に至ったものである。
又、図１においては某月の１日のスケジュール欄２の占有面積を広くし、某月の第１日目における目標等の伝達事項の記入を行う事例に対処する。以上の様にして、ペーパー１の左側については暦日欄３とスケジュール欄２の組総数は１日から７日までの７となり、ペーパー１の右側については暦日欄３とスケジュール欄２の組総数は８日から１５日までの８となる。なお、暦日欄３の上部に月表示欄４を設けるが、表示例としては仮に１月用のペーパー１のものであれば１Ａが考慮できる。つまり、１Ａの１は１月を表し、１ＡのＡは月の前半を表すものである。何れにしても月表示欄４の表示については使用説明書の中で明記することが適切である。
又、図２に示すものは１枚のペーパー１に月の後半を網羅する様にしたものであり、１例として某月の１６日から月末までを網羅してある。つまり、ペーパー１の左側については暦日欄３とスケジュール欄２の組総数は１６日から２３日までの８となり、ペーパー１の右側については暦日欄３とスケジュール欄２の組総数は２４日から月末までの数となる。なお、月表示欄４の表示例としては図１との整合の観点から１Ｂが考慮できる。
又、ペーパー１は細分化されたスケジュール案件の各々に添付することで案件が円滑且つ、正確に遂行できる様にする。つまり、スケジュール案件書類と同じサイズ、例えば標準的な汎用サイズであるＡ列４番の用紙に印刷されたペーパー１を、案件書類のトップに添付し、これをファイルに収めたものを遂行部署へ渡す形態である。そのために同月のものを大量に梱包したペーパー１を用意して細分化されたスケジュール案件に対処する様にする。又、ペーパー１にはスケジュール案件名を記入するためのタイトル欄５を設けると共に、必要に応じて使用する小タイトル欄６を付加する。例えば業務（ａ）の中の業務（ｂ）に関するスケジュールを組む場合は、タイトル欄５に（ａ）の案件名を記入し、小タイトル欄６に（ｂ）の案件名を記入し、業務（ｂ）の遂行予定の暦日欄３に対応するスケジュール欄２に内容を記入する。つまり、このペーパー１には業務（ａ）以外のスケジュール内容を記入しないものとし、勿論、小タイトル欄６を使用した場合は業務（ｂ）以外のスケジュール内容を記入しない様にする。
なお、スケジュール案件が重複することで業務に支障を来すことが無い様に、スケジュール欄２に大概的にスケジュール案件名を記入したペーパー１を作成し、その中で不適切な重複が無い様に調整を図り、その後において細分化されたスケジュール案件の作成に移行する必要がある。又、細分化された大量のスケジュール案件に対応するためにも低コスト化が望まれるが、その実現のためには例えば暦日欄３内の日曜日や国民の祝日は文字体を変更する等に停めて色刷りを控える様にし、或いは用紙の材質を吟味する等の施しが考慮できる。
又、図３に示すものはスケジュール欄２内と暦日欄３内に連なる時間割構成を備えたものである。この時間割は時刻を表示する数字７を羅列し、羅列した数字７の上部に午前表示ライン８を設け、羅列した数字７の下部に午後表示ライン９を設けることで構成される。この羅列した数字７は０、１、２で始まり、・・・１０、１１、０で終わるものであり、羅列した数字７は午前表示ライン８及び、午後表示ライン９と共にペーパー１に印刷され、この午前表示ライン８上又は、午後表示ライン９上にスケジュール案件の遂行予定時刻を記入する様にしたものである。例えば２つのスケジュール案件の予定時刻を記入するものとして説明を行う。２つのスケジュール案件の頭に（１）及び、（２）と符号を付けて各々の内容をスケジュール欄２に記入し、スケジュール案件の（１）を例えば午前９時から午前１０まで遂行する場合は数字７の「９」と「１０」との間に合致する午前表示ライン８上の箇所をその時間帯と捉えて太く擦り、これに隣接して（１）の符号を記入する。同様にスケジュール案件の（２）を例えば午後１時から午後３まで遂行する場合は数字７の「１」と「３」との間に合致する午後表示ライン９上の箇所をその時間帯と捉えて太く擦り、これに隣接して（２）の符号を記入する様にする。なお、午前表示ライン８や午後表示ライン９に例えば、１５分刻みの目盛りを印刷して更に精度を高める構成にすることも考慮できる。
【発明の効果】
【０００７】  （イ）  暦日欄３をペーパー１の中央に集約してカレンダー化させることにより、スケジュール遂行予定日の確認や検討の作業が効率的に行えると共に、スケジュール欄２も上下に沿って整然と構成されるためにスケジュール案件内容の確認や検討の作業が効率的に行える。
（ロ）  ２週間を単位にしたペーパー１は実践的に活用できるものであり、又、一カ月を大きく区分するものであるから長期的なスケジュールを考え、又は設定する際にも便利である。
（ハ）  ペーパー１は標準的な汎用サイズであるＡ列４番の用紙に印刷されることで書類管理が行き届く。つまり、スケジュール案件書類とも馴染み、紛失の懸念が少ない。なお、スケジュール案件の遂行後においてもペーパー１を廃棄しない様にし、記録性やノウハウの蓄積も含めて成果主義の時勢に対応させる。
（ニ）  手帳の様に暦日欄３の横に並べてスケジュール欄２を設けたものを１枚の用紙において半月を網羅して実施した場合はスケジュール欄２は細く仕切られることで読み書きの勝手が悪い。これに対して本発明のものは前記の対応関係が上下に沿うものを左右に大きく割り振ることでスケジュール欄２の縦横比率のバランスが良好になり、併せて図面の記入も行える等の効果が期待できる。
（ホ）  ペーパー１に時間割構成を備えることで精度の高いスケジュール案件が遂行できる。又、スケジュール欄２内と暦日欄３内に連なる時間割構成により午前表示ライン８又は午後表示ライン９は延伸されるために記入が容易に行える。
【図面の簡単な説明】
【図１】  月の前半を網羅する本発明の構成図
【図２】  月の後半を網羅する本発明の構成図
【図３】  ペーパー１の一部を示す時間割構成図
【符号の説明】
１  ペーパー        ２  スケジュール欄        ３  暦日欄
４  月表示欄        ５  タイトル欄            ６  小タイトル欄
７  数字            ８  午前表示ライン        ９  午後表示ライン
【図１】
2007230202.tif 000003
【図２】
2007230202.tif 000004
【図３】
2007230202.tif 000005